(57)【要約】【課題】  消費者が同一の著作物から作成された異なるフォーマットのコンテンツを複数買う際に、著作物に対する対価を複数回に支払わなければならないという問題がある。さらに、コンテンツ作成者が、著作物からコンテンツを作成する際に、出版社や著者などの権利保有者と個別に権利関係の調整や契約が必要であり、その処理に時間と労力が必要という問題がある。【解決手段】  複数のフォーマットでコンテンツを利用することが可能な書籍購読権を管理する情報処理装置であって、著作物から作成されたコンテンツを登録する第一の登録手段と、前記著作物の権利保有者の承認の情報に基づき、書籍購読権による前記コンテンツの利用を承認する承認手段と、消費者の支払いの情報に基づき、当該消費者が前記書籍購読権を所持することを認証する認証手段と、を有することを特徴とする。【選択図】  図１
2017004122.tif 000002
【特許請求の範囲】
【請求項１】
複数のフォーマットでコンテンツを利用することが可能な書籍購読権を管理する情報処理装置であって、
著作物から作成されたコンテンツを登録する第一の登録手段と、
前記著作物の権利保有者の承認の情報に基づき、書籍購読権による前記コンテンツの利用を承認する承認手段と、
消費者の支払いの情報に基づき、当該消費者が前記書籍購読権を所持することを認証する認証手段と、を有することを特徴とする情報処理装置。
【請求項２】
前記複数のフォーマットは、印刷出版書籍、電子書籍、音声の読み上げ書籍、簡易印刷書籍のいずれか一つを含むことを特徴とする請求項１に記載の情報処理装置。
【請求項３】
前記書籍購読権の権利条項を入力する第一の入力手段と、
前記著作物からコンテンツを作成する際の条件を入力する第二の入力手段と、
前記著作物の権利保有者を入力する第三の入力手段と、を更に有することを特徴とする請求項１もしくは２に記載の情報処理装置。
【請求項４】
更に、前記情報処理装置の利用者の情報を登録する第二の登録手段と、を有することを特徴とする請求項１乃至３のいずれか１項に記載の情報処理装置
【請求項５】
前記利用者の情報には、
前記著作物の権利保有者の情報と、
前記コンテンツの作成者の情報と、
前記消費者の情報と、が含まれることを特徴とする請求項４に記載の情報処理装置。
【請求項６】
前記認証手段の認証に基づき、前記消費者に対して示すコンテンツの購入の価格を決定する決定手段を更に有することを特徴とする請求項１乃至５のいずれか１項に記載の情報処理装置。
【請求項７】
前記決定手段は、
前記消費者が書籍購読権を所持する場合は、前記コンテンツのフォーマットの価格をコンテンツの価格とし、前記消費者が書籍購読権を所持しない場合は、書籍購読権の価格とコンテンツのフォーマットの価格とを合算した価格をコンテンツの価格として決定すること特徴とする請求項６に記載の情報処理装置。
【請求項８】
複数のフォーマットでコンテンツを利用することが可能な書籍購読権を管理する情報処理方法であって、
第一の登録手段が、著作物から作成されたコンテンツを登録する第一の登録方法と、
承認手段が、前記著作物の権利保有者の承認の情報に基づき、書籍購読権による前記コンテンツの利用を承認する承認工程と、
認証手段が、消費者の支払いの情報に基づき、当該消費者が前記書籍購読権を所持することを認証する認証工程と、を有することを特徴とする情報処理装置。
【請求項９】
コンピュータを、
複数のフォーマットでコンテンツを利用することが可能な書籍購読権を管理する情報処理装置であって、
著作物から作成されたコンテンツを登録する第一の登録手段と、
前記著作物の権利保有者の承認の情報に基づき、書籍購読権による前記コンテンツの利用を承認する承認手段と、
消費者の支払いの情報に基づき、当該消費者が前記書籍購読権を所持することを認証する認証手段と、を有することを特徴とする情報処理装置として機能させるためのコンピュータプログラム。
【発明の詳細な説明】
【技術分野】
【０００１】
本発明は、複数のフォーマットでコンテンツを利用することが可能な書籍購読権を管理する情報処理装置に関する。
【背景技術】
【０００２】
近年、紙に印刷された書籍や雑誌などの印刷出版書籍に加えて、スマートフォンやタブレット端末などを用いて購読する電子書籍が普及している。
【０００３】
電子書籍には、購読に用いる端末や閲覧用ソフトに応じて、ＰＤＦ（登録商標）やＥＰＵＢなど様々なフォーマットで作成されたコンテンツが存在している。
【０００４】
消費者は、読みやすい印刷出版書籍を購入して読んだ後、蔵書のために場所をとらない同一内容の電子書籍を購入するというケースがある。また、消費者は、あるフォーマットの電子書籍を購入した後に、購読する端末を買い替えたため、異なるフォーマットの同一内容の電子書籍を購入するというケースがある。
【０００５】
現在はコンテンツ毎に料金が設定されているため、上記の２ケースのように消費者が同一の著作物から作成された異なるフォーマットのコンテンツを複数買う際に、同一の著作物に対する対価を複数回支払うことになる。ただし、印刷出版書籍もフォーマットの一種とする。
【０００６】
さらに、著作物には出版社と著者などの間で個別に締結された権利関係が存在し、かつ、その情報は出版社と著者などによって個別に管理されている。そのため、コンテンツ作成者は、著作物からコンテンツを作成する際には、出版社や著者などの権利保有者と個別に権利関係の調整や契約が必要であり、その処理に時間と労力が必要となる。
【０００７】
すでに印刷出版書籍を購入した消費者に対して電子書籍を割引販売する従来技術として、特許文献１が知られている。特許文献１では、消費者が印刷出版書籍を書店で購入した際に、ＩＣカードに「購入証明」を発行する。その後、消費者が電子書籍を買う際に、購入証明の有無によってサービスを切り替えるものである。また異なるフォーマットのコンテンツを再購入する際に特典を付ける従来技術として特許文献２が知られている。特許文献２では、第１のフォーマットである第１のコンテンツとコンテンツライセンスをユーザーに販売する。このコンテンツライセンスを記憶しておき、第２のフォーマットである第２のコンテンツの販売において、前記コンテンツライセンスを解析してその販売に影響を与えるというものである。
【先行技術文献】
【特許文献】
【０００８】
【特許文献１】特開２０００−１１３０４９号公報
【特許文献２】特表２００７−５２４９２１号公報
【発明の概要】
【発明が解決しようとする課題】
【０００９】
しかしながら、特許文献１では、消費者が印刷出版書籍を購入したか否かを管理しているため、同一の著作物から作成された異なるフォーマットの電子書籍を複数種類購入する場合には、著作物に対する対価を複数回に支払わなければならないという問題がある。
【００１０】
また、特許文献１と特許文献２はともに、消費者とコンテンツ作成者（これらの文献では販売者と同一）との間の権利関係に関する記述はあるが、コンテンツ作成者と著作物の権利保有者との権利関係の調整や契約についての方策は記述されていない。そのため、著作物の権利保有者とコンテンツ作成者が異なる場合に、コンテンツ作成者は、著作物からコンテンツを作成する際に、出版社や著者などの権利保有者と個別に権利関係の調整や契約が必要であり、その処理に時間と労力が必要という問題がある。
【００１１】
上記課題を鑑み、本発明は、消費者が同一の著作物から作成された互いに異なる複数のフォーマットのコンテンツを購入する際の利便性を向上させることを目的とする。
【課題を解決するための手段】
【００１２】
複数のフォーマットでコンテンツを利用することが可能な書籍購読権を管理する情報処理装置であって、著作物から作成されたコンテンツを登録する第一の登録手段と、前記著作物の権利保有者の承認の情報に基づき、書籍購読権による前記コンテンツの利用を承認する承認手段と、消費者の支払いの情報に基づき、当該消費者が前記書籍購読権を所持することを認証する認証手段と、を有することを特徴とする。
【発明の効果】
【００１３】
本発明によれば、消費者が同一の著作物から作成された互いに異なる複数のフォーマットのコンテンツを購入する際の利便性を向上させることが出来る。
【図面の簡単な説明】
【００１４】
【図１】書籍購読権管理装置の構成を示すブロック図である。
【図２】書籍購読権およびコンテンツの登録処理を示すフローチャートである。
【図３】書籍購読権の登録処理を示すフローチャートである。
【図４】コンテンツの登録処理を示すフローチャートである。
【図５】書籍購読権ＤＢに格納される項目の一例である。
【図６】コンテンツ情報ＤＢ１３に格納される項目の１例である。
【図７】消費者所持書籍購読権ＤＢ１４に格納される項目の１例である。
【図８】書籍購読権登録部１０２の構成を示すブロック図である。
【図９】書籍購読権を用いた購買装置の構成を示すブロック図である。
【図１０】書籍購読権を用いた購買処理を示すフローチャートである。
【図１１】利用者情報ＤＢ１１に格納される項目の一例である。
【図１２】書籍購読権の権利条項の１例である。
【図１３】書籍購読権を用いた購買処理の概略図である。
【図１４】コンテンツ価格ＤＢ９１に格納される項目の１例である。
【図１５】書籍購読権に対して紐付けられたコンテンツの表す図である。
【発明を実施するための形態】
【００１５】
（実施例１）
本実施例は、同一の著作物から作成されたコンテンツを、フォーマットの如何にかかわらずに購読することができる権利（以後、書籍購読権と呼ぶ）を消費者が購入し、その権利を管理することを特徴とする。
【００１６】
また、著作購読権が設定された著作物からコンテンツを作成する際の条件を、著作物の権利保有者が登録し、その条件を一元管理することを特徴とする。
【００１７】
図１は本実施例の書籍購読権管理装置（コンピュータプログラムにより動作する情報処理装置）の構成例を示すブロック図である。書籍購読権管理装置１０は、利用者情報ＤＢ１１、書籍購読権ＤＢ１２、コンテンツＤＢ１３、消費者所持書籍購読権ＤＢ１４とネットワークを介して接続されるか、またはそれらを含む構成としても良い。
【００１８】
書籍購読権管理装置１０は、利用者情報登録部１０１、書籍購読権登録部１０２、コンテンツ登録部１０３、コンテンツ承認部１０４、消費者所持書籍購読権管理部１０５、認証部１０６、著作権料決済部１０７から構成される。利用者情報登録部１０１は、図に示されるような、書籍購読権管理装置を利用する個人や法人の情報を登録するための機能部位である。ここで、書籍購読権管理装置を利用する個人や法人とは、著作物の権利保有者、その著作物を元にコンテンツを作成するコンテンツ作成者、コンテンツを購読する消費者のことをさす。書籍購読権登録部１０２は、著作物の権利保有者が著作物の書籍購読権を登録するための機能部位である。コンテンツ登録部１０３は、コンテンツ作成者が著作物を元に作成したコンテンツを登録するための機能部位である。コンテンツ承認部１０４は、著作物の権利所有者が登録されたコンテンツを承認するための機能部位である。消費者所持書籍購読権管理部１０５は、消費者が所持する書籍購読権を管理する機能部位である。認証部１０６は、コンテンツが著作物の権利所有に承認されたものであることを認証する機能、および、消費者が書籍購読権を所持することを認証するための機能を有する機能部位である。著作権料決済部１０７は、消費者が書籍購読権を購入した際に、著作物の権利所有者へ著作権料の振込等の決済処理を行う機能部位である。
【００１９】
利用者情報ＤＢ１１は、利用者情報登録部１０１にて登録された情報を格納する機能部位である。書籍購読権ＤＢ１２は、書籍購読権登録部１０２にて登録された書籍購読権の情報を格納する機能部位である。コンテンツＤＢ１３は、コンテンツ登録部１０３にて登録されたコンテンツの情報を格納する機能部位である。消費者所持書籍購読権ＤＢ１４は、消費者が所持する書籍購読権の情報を格納する機能部位である。
【００２０】
次に、書籍購読権およびコンテンツの登録処理について説明し、その後、書籍購読権を用いた購買処理について説明する。
【００２１】
（書籍購読権およびコンテンツの登録処理）
図２は本実施例における、書籍購読権およびコンテンツの登録処理のフローチャートである。まず、利用者情報登録部１０１において、著作物の権利保有者の情報とコンテンツ作成者の情報を登録し、利用者情報ＤＢ１１に格納する（Ｓ２０１）。著作物の権利保有者の情報は、図１１（ａ）に示すような権利保有者ＩＤ、パスワード、氏名、Ｅ−ｍａｉｌアドレスなどの項目を含む。また、コンテンツ作成者の情報は、図１１（ｂ）に示すようコンテンツ作成ＩＤ、パスワード、氏名、Ｅ−ｍａｉｌアドレスなどの項目を含む。著作物の権利保有者の情報とコンテンツ作成者の情報は一度登録されると、２回目以降はＩＤとパスワードを入力することで代用できる。
【００２２】
次に、書籍購読権登録部１０２において、著作物の権利保有者が著作物の書籍購読権を登録し書籍購読権ＤＢ１２に格納する（Ｓ２０２）。Ｓ２０２の処理を図３のフローチャートおよび図５を用いて詳細に説明する。図５は書籍購読権ＤＢに格納される項目の一例である。まず、書籍購読権ＩＤ５０１、著作物名５０２や著作物概要５０３など著作物の情報を入力する（Ｓ３０１）。書籍購読権ＩＤ５０１は入力を開始した際に自動で割り振られるようにしても良い。次に、書籍購読権権利条項５０４を入力する（Ｓ３０２）。ここで、書籍購読権権利条項５０４とは、著作物の権利保有者が有する権利（著作権や著作隣接権など）の中から、消費者に与える権利内容を記した条項である。この項目は著作物の権利保有者が自由に設定しても良いし、消費者に混乱を与えないために、業界団体が推奨する権利項目を設定しても良い。図１２に権利条項の一部を示す。これらの権利項目の中から１つまたは複数が選択される。また、権利条項に制限事項を設定しても良い。ここで、制限事項とは著作物の権利保有者の権利が侵害されないようにするために設定するもので、消費者ＩＤやパスワードが流出して不特定多数の人間が著作物を閲覧すること等を防ぐために設定する。例えば、電子書籍であれば、同一の著作物から作成されたフォーマットが異なる複数のコンテンツを所持していたとしても、同時には閲覧できないようにする等の制限を設定する。また、印刷出版書籍であれば、安く購入して転売することを防ぐため、購入できるのは２冊までなどと設定する。次に、コンテンツ作成条件５０５を入力する（Ｓ３０３）。ここでコンテンツ作成条件５０５とは、コンテンツ作成者が、この著作物からコンテンツを作成する際の条件のことである。電子書籍、印刷書籍、音声読み上げ書籍、簡易印刷書籍などの許容するコンテンツ区分や、広告を付けて良いか否か、広告の分野、広告を付ける際の権利保有者への対価比率のなどの広告条件を入力する。ここで、音声読み上げ書籍とはテキストの著作物を読み上げて音声ファイルにしたものであり、簡易印刷書籍とは、版を用いずに電子書籍等の電子データから直接印刷した書籍のことである。次に、書籍購読権価格５０６を入力する（Ｓ３０４）。ここで、書籍購読権料金とはコンテンツが初めて売れた際に著作物の保有者の収入となる。つまり、書籍購読権を消費者に与えたことによる対価である。次に、権利保有者ＩＤ５０７と対価比率５０８を入力する（Ｓ３０５）。権利保有者は、小説や漫画の著作者など１人の場合もあるし、出版物であれば著作者と出版社、写真などが含まれる出版物であれば著作者と写真家と出版社などのように複数の場合もある。対価比率は権利保有者同士の合意によって決定され入力される。次に、権利保有者が複数いるか否かの判断が行われる（Ｓ３０６）。権利保有者が複数でない場合は、以上の処理をもって書籍購読権の登録が完了する。権利保有者が複数の場合は、全ての権利保有者に承認依頼を送付する（Ｓ３０７）。承認依頼を送付する方法としては、例えば利用者情報ＤＢに登録されたＥ−ｍａｉｌアドレスへ承認依頼メールを送付する方法などがある。次に、全ての権利保有者が承認したか否かの判断が行われる（Ｓ３０８）。全ての権利保有者が承認した場合は書籍購読権の登録が完了する。全ての権利保有者が承認しなかった場合には、再びＳ３０１に戻り入力項目の修正が行われ、全ての権利保有者の承認が得られるまで繰り返す。
【００２３】
次に、コンテンツ登録部１０３において、コンテンツ作成者がコンテンツ情報を登録しコンテンツ情報ＤＢ１３格納する（Ｓ２０３）。Ｓ２０３の処理を図４のフローチャートおよび図６を用いて詳細に説明する。図６はコンテンツ情報ＤＢ１３に格納される項目の１例である。まず、コンテンツを作成する際に利用する、書籍購読権ＩＤ６０６を選択する（Ｓ４０１）。次に、コンテンツＩＤ６０１、コンテンツ名６０２、コンテンツ概要６０３、コンテンツ区分６０４、コンテンツ作成者ＩＤ６０５などのコンテンツの情報を入力する（Ｓ４０２）。コンテンツＩＤ５０１は入力を開始した際に自動で割り振られるようにしても良い。次に、権利保有者との契約条件６０７を入力する（Ｓ４０３）。ここで、権利保有者との契約条件６０７とは、著作物の権利保有者が書籍購読権を登録した際に入力したコンテンツ作成条件で規定された条件をそのまま採用してもよいし、個別の条件を入力しても良い。
【００２４】
次に、コンテンツ承認部１０４において、著作物の権利保有者が登録されたコンテンツを承認する（Ｓ２０４）。著作物の権利保有者が複数いる場合には全員が承認する。著作物の権利保有者は、コンテンツ作成者がコンテンツを登録した際の情報をみて承認をするか否かの判断を行う。また、承認する際に、コンテンツ作成者が権利保有者へ作成したコンテンツデータを送付し、権利保有者が内容確認を行った後に承認しても良い。コンテンツが承認されると認証コードが発行され、コンテンツ情報ＤＢ１３の認証コード６０８へ登録される。この認証コードは、消費者へコンテンツを配信する際になどに利用することができる。また、コンテンツＩＤは書籍購読権ＤＢ１２の承認コンテンツＩＤ５０９へ登録される。
【００２５】
以上の処理によって、書籍購読権およびコンテンツの登録が完了する。その後は、Ｓ２０３のコンテンツの登録処理と、Ｓ２０４のコンテンツ承認処理が繰り返されて、図１５に示すように、１つの書籍購読権に対して、複数のコンテンツが登録され紐付けられることになる。
【００２６】
以上説明した処理制御を行うことで、コンテンツ作成者が、著作物からコンテンツを作成する際に、出版社や著者などの権利保有者と権利関係の調整や契約を円滑に行うことが可能となる。
【００２７】
（書籍購読権を用いた購買処理）
続いて、書籍購読権を用いた購買処理について説明する。図１３に示すように書籍購読権管理装置１０、書籍購読権を用いた購買装置９０と消費者端末１３０１がネットワークを介して接続しており、消費者が書籍購読権を用いた購買装置のＷｅｂページより、印刷出版書籍を購入する例について説明する。
【００２８】
図９は本実施例の書籍購読権を用いた購買装置の構成例を示すブロック図である。書籍購読権を用いた購買装置９０は、コンテンツ価格ＤＢ９１とネットワークを介して接続されるか、またはそれらを含む構成としても良い。また、書籍購読権を用いた購買装置９０は、先述した書籍購読権管理装置１０とネットワークを介して接続されるか、またはそれらを含む構成としても良い。書籍購読権を用いた購買装置９０は購入コンテンツ選択部９０１、消費者情報入力部９０２、書籍購読権確認部９０３、価格決定部９０４から構成される。購入コンテンツ選択部９０１は、消費者が購入したいコンテンツを選択するための機能部位である。消費者情報入力部９０２は、書籍購読権管理装置１０が消費者を識別するのに用いる消費者情報を入力するための機能部位である。書籍購読権確認部９０３は、消費者が選択したコンテンツの書籍購読権を所持するか否かを書籍購読権管理装置１０へ確認するための機能部位である。価格決定部９０４は、消費者が書籍購読権を持つか否かによってコンテンツ価格を決定するための機能部位である。コンテンツ価格ＤＢ９１は図１４に示すように、書籍購読権価格１４０１と書籍購読権に紐付けられたコンテンツのフォーマット価格１４０２を格納している。
【００２９】
消費者は、書籍購読権管理装置１０を利用するために、利用者情報登録部１０１において、消費者情報を登録し、利用者情報ＤＢ１１に格納する。消費者情報は、図１１（ｃ）に示すような消費者ＩＤ、パスワード、氏名、Ｅ−ｍａｉｌアドレスなどの項目を含む。
【００３０】
図１０は本実施例における、書籍購読権を用いた購買処理のフローチャートである。まず、購入コンテンツ選択部９０１において、消費者が購入したいコンテンツを選択する（Ｓ１００１）。この際、購入コンテンツ選択部９０１は消費者がコンテンツを選択しやすいように、コンテンツ名やコンテンツ概要、コンテンツのフォーマット等を表示する。次に、消費者情報入力部９０２において、消費者は利用者情報登録部１０１において登録した、消費者ＩＤおよびパスワードを入力する（Ｓ１００２）。次に、書籍購読権を用いた購買装置９０は書籍購読権確認部９０３において、消費者が選択したコンテンツの書籍購読権を所持するか否かを書籍購読権管理装置１０へ確認する（Ｓ１００３）。その際、消費者が選択したコンテンツの書籍購読権ＩＤ、消費者ＩＤ、パスワードを書籍購読権管理装置１０へ送信する。次に、書籍購読権管理装置１０は認証部１０６において、消費者が選択したコンテンツの書籍購読権を消費者が所持するか否か認証する。（Ｓ１００４）。認証部１０６では、消費者ＩＤ、パスワードを用いて消費者を識別し、消費者所持書籍購読権ＤＢ１４を探索して、消費者が選択したコンテンツの書籍購読権を所持するか否かを認証する。消費者所持書籍購読権ＤＢ１４には図７（ａ）に示すように、消費者ＩＤ７０１とその消費者が保持する書籍購読権ＩＤ７０２が格納されている。さらに、図７（ｂ）に示すように、書籍購読権に制限事項が設定されている場合において、その制限を行うために必要な管理情報７０３を格納しても良い。例えば印刷出版書籍であれば、安く購入して転売することを防ぐため、印刷出版書籍の購入回数や購入日時などを管理する。例えば電子書籍であれば、同一の著作物から作成されたフォーマットが異なる複数のコンテンツを所持していたとしても、同時には閲覧できないようにする制限するために、消費者が電子コンテンツを閲覧しているか否かの情報などを管理する。この制限は一般的に用いられているＤＲＭ（デジタル著作権管理技術）を用いて実現できる。次に、書籍購読権を用いた購買装置９０は価格決定部９０４において、消費者が選択したコンテンツの書籍購読権を消費者が所持するか否かによって処理をきりかえる（Ｓ１００５）。書籍購読権を消費者が所持する場合は、コンテンツ価格ＤＢ９１に格納されたコンテンツのフォーマット価格のみを表示する（Ｓ１００６）。書籍購読権を消費者が所持しない場合は、コンテンツ価格ＤＢ９１に格納された書籍購読権の価格とコンテンツのフォーマット価格を合算した値を表示する（Ｓ１００７）。次に、消費者は購入に同意するか否かを入力する（Ｓ１００８）。購入に同意した場合はＳ１０１０に進み、購入に同意しない場合はＳ１００１に戻る。次に、書籍購読権管理装置１０は消費者所持書籍購読権管理部１０５において、消費者所持書籍購読権ＤＢ１４に格納された情報を更新する。例えば、消費者が新たに書籍購読権を購入した場合は、図７（ａ）の書籍購読権ＩＤ７０２へ新たに購入した書籍購読権ＩＤを追加する。さらに、図７（ｂ）に示すように、書籍購読権に制限事項が設定されている場合には、管理情報７０３を更新する。例えば印刷出版書籍であれば、印刷出版書籍の購入回数や購入日時などを更新する。次に、書籍購読権を用いた購買装置９０は、購入されたコンテンツを消費者へ発送する（Ｓ１０１１）。
【００３１】
以上説明した処理制御を行うことで、消費者が同一の著作物から作成された異なるフォーマットのコンテンツを複数買う際に、同一の著作物に対する対価を複数回支払わなくて良いようにすることが可能となる。
【００３２】
なお、本実施例では、書籍購読権管理装置１０と書籍購読権を用いた購買装置９０がネットワークを介して接続している例を用いて説明したが、書籍購読権管理装置１０が書籍購読権を用いた購買装置９０に含まれる構成としても同様の効果を得ることができる。
【００３３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2017004122.tif 000003
【図２】
2017004122.tif 000004
【図３】
2017004122.tif 000005
【図４】
2017004122.tif 000006
【図５】
2017004122.tif 000007
【図６】
2017004122.tif 000008
【図７】
2017004122.tif 000009
【図８】
2017004122.tif 000010
【図９】
2017004122.tif 000011
【図１０】
2017004122.tif 000012
【図１１】
2017004122.tif 000013
【図１２】
2017004122.tif 000014
【図１３】
2017004122.tif 000015
【図１４】
2017004122.tif 000016
【図１５】
2017004122.tif 000017